【手続補正書】
【提出日】平成17年2月14日(2005.2.14)
【手続補正１】
【補正対象書類名】明細書
【補正対象項目名】特許請求の範囲
【補正方法】変更
【補正の内容】
【特許請求の範囲】
【請求項１】
ユーザからの記憶メディア保管要求を受信して、記憶メディアを保管する記憶メディア保管システムであって、
前記記憶メディアの保管場所に関する情報を蓄積するデータベースを備え、
前記データベースは、通信回線を介して前記ユーザから送信される、前記記憶メディア毎に一意に付与されたボリューム名称と、前記ボリューム名称の検索に利用される識別情報とを受信し、前記ボリューム名称と前記識別情報とを前記記憶メディアの保管場所に関する情報に対応付けて保持する、記憶メディア保管システム。
【請求項２】
請求項１に記載の記憶メディア保管システムであって、
前記データベースは前記通信回線を介して前記ユーザから参照可能に構成されている、記憶メディア保管システム。
【請求項３】
請求項２に記載の記憶メディア保管システムであって、
前記データベースは、ユーザ毎に生成されており、
前記記憶メディア保管システムは、前記ユーザからのデータベース参照要求を受信すると、前記ユーザが前記ユーザ毎に生成されたデータベースのアクセス条件を満たすか否かについての認証を行う、記憶メディア保管システム。
【請求項４】
請求項１又は請求項２に記載の記憶メディア保管システムであって、
前記ユーザが前記識別情報を利用して前記ボリューム名称を検索するための検索機能を有するＤＢ検索システムを更に備え、
前記通信回線を介して前記ユーザから、前記記憶メディアに格納されているデータのダウンロード要求を受信すると、前記ＤＢ検索システムは、ダウンロード元の記憶メディアのボリューム名称を検索する検索機能を前記ユーザに提供する、記憶メディア保管システム。
【請求項５】
請求項４に記載の記憶メディア保管システムであって、
前記ＤＢ検索システムは、前記検索機能によって検索された複数の記憶メディアの中からダウンロード元となる記憶メディアを選択する機能を前記ユーザに提供し、
前記記憶メディア保管システムは、前記ウンロード元となる記憶メディアに格納されているデータを、前記通信回線とは別の高速回線を介して前記ユーザの記憶媒体にダウンロードする、記憶メディア保管システム。
【請求項６】
請求項１に記載の記憶メディア保管システムであって、
前記記憶メディアに格納されているデータを蓄積するストレージ装置を更に備え、
前記データベースは、前記記憶メディアの保管場所として、前記ストレージ装置の記憶アドレスを保持する、記憶メディア保管システム。
【請求項７】
請求項６に記載の記憶メディア保管システムであって、
記憶メディア自体の保管場所に関する情報を蓄積するデータベースを更に備える、記憶メディア保管システム。
【請求項８】
ユーザからの記憶メディア保管要求を受信して、記憶メディアを保管する記憶メディア保管システムであって、
前記記憶メディアの保管場所に関する情報を蓄積するデータベースを備え、
前記データベースは、通信回線を介して前記ユーザから送信される、前記記憶メディア毎に一意に付与されたボリューム名称を受信する一方で、前記ボリューム名称を検索するために前記記憶メディアに蓄積された識別情報を前記記憶メディアから読み取り、前記ボリューム名称と前記識別情報とを前記記憶メディアの保管場所に関する情報に対応付けて保持する、記憶メディア保管システム。
【請求項９】
請求項４に記載の記憶メディア保管システムであって、
前記ＤＢ検索システムは、前記検索機能によって検索された複数の記憶メディアの中からダウンロード元となる記憶メディアを選択する機能を前記ユーザに提供し、
前記記憶メディア保管システムは、前記ダウンロード元の記憶メディアに格納されているデータの形式を変換して、前記ユーザの記憶媒体にダウンロードする機能を更に備える、記憶メディア保管システム。
【請求項１０】
ユーザからの記憶メディア保管要求を受信して、記憶メディアを保管する記憶メディア保管システムの運用方法であって、
通信回線を介して前記ユーザから送信される、前記記憶メディア毎に一意に付与されたボリューム名称と、前記ボリューム名称の検索に利用される識別情報とを受信するステップと、
前記ボリューム名称と前記識別情報とを前記記憶メディアの保管場所に関する情報に対応付けてデータベースを生成するステップと、
を備える、記憶メディア保管システムの運用方法。
【請求項１１】
請求項１０に記載の記憶メディア保管システムの運用方法であって、
前記ユーザからの前記データベースの参照要求を受信するステップと、
前記ユーザが前記データベースを参照する権限を有するか否かを判定するステップと、
を更に備える、記憶メディア保管システムの運用方法。
【請求項１２】
ユーザからの記憶メディア保管要求を受信して、複数の記憶メディアを含む記憶メディア群を保管する記憶メディア群保管システムであって、
前記記憶メディア群の保管場所に関する情報を蓄積するデータベースを備え、
前記データベースは、通信回線を介して前記ユーザから送信される、前記記憶メディア群毎に一意に付与されたアーカイブ名称と、前記アーカイブ名称の検索に利用される識別情報とを受信し、前記アーカイブ名称と、前記アーカイブ名称の検索に利用される識別情報とを前記記憶メディア群の保管場所に関する情報に対応付けて保持する、記憶メディア群保管システム。
【請求項１３】
請求項１２に記載の記憶メディア群保管システムであって、
前記データベースは前記通信回線を介して前記ユーザから参照可能に構成されている、記憶メディア群保管システム。
【請求項１４】
請求項１２又は請求項１３に記載の記憶メディア群保管システムであって、
前記データベースは、前記通信回線を介して前記ユーザから送信される、前記記憶メディア群に含まれる記憶メディア毎に付与されたボリューム名称と、前記ボリューム名称の検索に利用される識別情報とを受信し、前記ボリューム名称と、前記ボリューム名称の検索に利用される識別情報とを前記記憶メディア群の保管場所に関する情報に対応付けて保持する、記憶メディア群保管システム。
【請求項１５】
ユーザからの記憶メディア取り出し要求をネットワークを介して受信し、記憶メディアを保管する保管場所から記憶メディアの取り出しを可能にする記憶メディア保管システムであって、
前記記憶メディアの保管場所に関する情報と、前記記憶メディアの検索に利用される識別情報とを蓄積するデータベースを備え、
前記記憶メディア保管システムは、前記記憶メディアに蓄積された前記識別情報の自動読み取りを行い、前記データベースに前記識別情報を蓄積する、記憶メディア群保管システム。
【請求項１６】
ユーザからの記憶メディア保管要求を受信して、記憶メディアを保管する記憶メディア保管システムであって、
前記記憶メディアを保管する倉庫と、
前記記憶メディアの前記倉庫における保管位置を蓄積するデータベースを備え、
前記データベースは、通信回線を介して前記ユーザから送信される、前記記憶メディア毎に一意に付与されたボリューム名称と、前記ボリューム名称の検索に利用される識別情報とを受信し、前記ボリューム名称と前記識別情報とを前記記憶メディアの前記倉庫における保管位置に対応付けて保持する、記憶メディア保管システム。
【請求項１７】
ユーザからの記憶メディア保管要求を受信して、複数の記憶メディアを含む記憶メディア群を保管する記憶メディア群保管システムであって、
前記記憶メディア群を保管する倉庫と、
前記記憶メディア群の前記倉庫における保管位置を蓄積するデータベースを備え、
前記データベースは、通信回線を介して前記ユーザから送信される、前記記憶メディア群毎に一意に付与されたアーカイブ名称と、前記アーカイブ名称の検索に利用される識別情報とを受信し、前記アーカイブ名称と前記識別情報とを前記記憶メディア群の前記倉庫における保管位置に対応付けて保持する、記憶メディア群保管システム。
【手続補正２】
【補正対象書類名】明細書
【補正対象項目名】００１７
【補正方法】変更
【補正の内容】
【００１７】
図２に、本発明を利用したアーカイブ預かりビジネスにおいてデータの預かりを開始する場合の手順を示す。図２のフローチャートにおいて、顧客が、記憶メディアの管理を業者に委託する場合、顧客は管理を委託する記憶メディアのボリューム名称を記憶メディア毎に付与する。顧客はこのようなボリューム管理情報と共に、そのボリュームを検索する際に用いる検索用キーワードを、ネットワークを介して業者側装置に送信する（ステップ２０１）。業者側装置は、顧客装置から送信されたこのデータを用いて、ボリューム管理ＤＢ１０１を作成する（ステップ２０２）。このボリューム管理ＤＢは、顧客から預かった記憶メディアのボリューム名称とそのキーワードの組に、そのボリューム名称の記憶メディアが倉庫１０４のどの位置にあるかを示す位置情報を付与することで作成する。
【手続補正３】
【補正対象書類名】明細書
【補正対象項目名】００２１
【補正方法】変更
【補正の内容】
【００２１】
次に、図３を用いて、顧客が預けた記憶メディア内のデータを利用する場合の手順を説明する。ここでデータの利用とは、データ検索や参照、或いは、ダウンロード等を示す。まず顧客は、顧客自身が所有するネットワークコンピュータシステム上で、ＤＢ検索システム１０２を起動し、ボリューム管理ＤＢ１０１内の預け入れたデータに対して前述の２０１のステップで送信したキーワードによるーワード検索を行なう。その検索によって抽出されたダウンロードを希望する記憶メディアのボリューム名称を特定する。（ステップ３０１）。顧客は特定したそのボリューム名称とダウンロード先を業者にネットワークを介して送信する（ステップ３０２）。業者は顧客から指定されたボリューム名称を受信し、そのボリュームが含まれている倉庫内の記憶メディア群１１０を、記憶メディア管理システム１１２を用いて特定する（ステップ３０３）。その後、業者は、自動又は手動にてライブラリ装置１０５に特定された記憶メディアを装着し、ライブラリの管理システム１０６は、受信した顧客の要求に従って、指定されたボリュームデータを顧客が指定するダウンロード先へダウンロードを行う（ステップ３０３）。この場合、上述のように、倉庫がストレージ装置で構成されている場合は、アーカイブ名称またはボリューム名称に対応つけられたストレージ上のアドレスから必要なデータを選択する。
【手続補正４】
【補正対象書類名】明細書
【補正対象項目名】００２２
【補正方法】変更
【補正の内容】
【００２２】
一方、顧客はアーカイブ名称を指定して、メディア群単位でデータのダウンロードを要求することもできる。ダウンロードが終了するとライブラリ管理システム１０６は、顧客にダウンロードを完了した旨を通知するデータを送信する（ステップ３０４）。このデータの通信においては、ライブラリ管理システム内のプログラムを用いて、ダウンロード終了後に自動通知を行うようにしても良いし、他の管理システムに搭載されたプログラムに従って通知を行うようにしても良い。業者は、ダウンロード回数やそのデータ量等に応じて、顧客からデータのダウンロード料を徴収する。